(57)【特許請求の範囲】
【請求項１】
複数の表示部と、前記表示部への表示制御を行う制御部とを有する株価通報表示装置において、
前記表示部が、複数種類の表示部から構成されており、
前記制御部が、表示用の銘柄名を登録する銘柄名テーブルと、前記銘柄名テーブルに登録された銘柄の株価情報を蓄積する受信データ蓄積部と、前記表示部に表示される表示データを銘柄毎に設定された表示部、表示位置及び表示タイプに対応付けて蓄積する表示データ蓄積部とを備え、中央装置から通信回線を介して株価情報を受信し、前記銘柄名テーブルに登録された銘柄名の株価情報を選択して受信データ蓄積部に蓄積する受信手段と、前記受信データ蓄積部に蓄積された株価情報を表示用データに編集し、銘柄毎に設定された表示部、表示位置及び表示タイプに対応付けて表示データ蓄積部に蓄積する表示データ編集手段と、前記表示データ蓄積部に蓄積された株価情報を銘柄毎に設定された表示部、表示位置及び表示タイプに従って前記表示部に表示する表示処理手段とを有することを特徴とする株価通報表示装置。
【発明の詳細な説明】
【０００１】
【発明の属する技術分野】
本発明は、情報伝達システム等に用いられる株価通報表示装置に係り、特にユーザーに見易い多様な表示画面を提供でき、且つメンテナンスが容易な株価通報表示装置に関する。
【０００２】
【従来の技術】
まず、一般的な株価通報表示システムの概略構成と、従来の株価通報表示装置の構成について図８を使って説明する。図８は、一般的な株価通報表示システムの概略構成及びそれにおける従来の株価通報表示装置の構成ブロック図である。
【０００３】
一般的に株価通報表示システムは、図８に示すように株価等の情報を作成し送信する中央装置１と、中央装置１から送信された情報を伝達する通信回線２と、伝達された情報を受信して表示する株価通報表示装置３′とから構成されている。
【０００４】
尚、中央装置１から株価通報表示装置３′に送信される情報の電文フォーマットは、図９に示すように、レコード長と銘柄コードから成るヘッダ部と、始値、高値、安値、現在値、比較値、売気配等の情報から成る株価データ部で構成されている。
図９は、一般的に中央装置から株価通報表示装置に送信される電文フォーマット例を示す説明図である。
【０００５】
そして、従来の株価通報表示装置３′は、内部に銘柄名テーブル１８と表示メモリ１９とを具備する制御部１０′と、入力部２０と、複数（図８ではｎ台）の表示部２１′とから構成されている。
【０００６】
次に、従来の株価通報表示装置３′の各部について具体的に説明する。
表示部２１′は、受信した株価等の情報に基づいて、各銘柄の株価データの一覧を表示するものである。尚、従来の表示部２１′は、具体的にはＣＲＴ等で、縦と横の比が３：４のものであった。
そして、１台の表示部２１′で全銘柄が表示できない場合は、複数の表示部２１′-1〜２１′-nに分割して表示するようになっていた。
【０００７】
従来の株価通報表示装置の表示部２１′における表示方法について、図１０、図１１を使って具体例で説明する。図１０、図１１は、従来の株価通報表示装置の表示部２１′における表示画面例を示す説明図である。
従来の株価通報表示装置の表示部２１′における第１の表示方法は、図１０に示すように、１画面が銘柄名を表示する銘柄部と、銘柄名に対応する株価データ等を表示する株価データ表示部から構成され、株価データ表示部内には始値、高値、安値、現在値、比較値が表示されるようになっている。
【０００８】
また、従来の株価通報表示装置の表示部２１′における第２の表示方法は、図１１に示すように、１画面を横方向に２分割し、銘柄名は表示せず株価データ表示部のみを２列表示し、その両サイドに予め銘柄名が記されている銘柄札を設置するようになっていた。
【０００９】
入力部２０は、表示する銘柄の設定や、表示情報等を設定するものである。
銘柄名テーブル１８は、表示部２１′-1〜２１′-nに表示する銘柄の銘柄コードとその銘柄名とを対応付けて、銘柄コード順に予め記憶しておくテーブルである。具体的には、図１２に示すように銘柄番号（順次番号）と、銘柄コードと、銘柄名とが対になって記憶されている。図１２は、従来の銘柄名テーブル１８のフォーマットを示す説明図である。
尚、銘柄名テーブル１８に記憶する銘柄の設定は、入力部２０によって変更できるようになっている。
【００１０】
表示メモリ１９は、表示部２１′-1〜２１′-nに表示する表示データを記憶するメモリで、後述する制御部１０′で編集された表示データが銘柄コード順に格納されるようになっている。
【００１１】
制御部１０′は、中央装置１から送信された株価等の情報を受信し、銘柄名テーブル１８を参照して銘柄名テーブル１８に設定されている銘柄コードの情報のみを抽出する。
そして、抽出された受信データは、表示部２１′における表示方法に従って受信したデータを編集し、表示メモリ１９の銘柄コードに対応する銘柄番号の位置に格納する。
そして、表示メモリ１９に格納された表示データを、表示部２１′-1から表示部２１′-nまで順に出力して表示させるようになっている。
【００１２】
表示メモリ１９への格納方法としては、例えば、図１０に示した第１の表示方法の場合は、受信データの銘柄コードを銘柄名テーブル１８を参照して銘柄名に変換し、表示メモリ１９の銘柄コードに対応する銘柄番号の位置に銘柄名、始値、高値、安値、現在値、比較値を格納するようになっている。
【００１３】
また、図１１に示した第２の表示方法の場合は、予め銘柄コード順に対応する銘柄名が記されている銘柄札が表示部２１′の両サイドに設置されているものとして、制御部１０′は、表示メモリ１９の銘柄番号に対応する位置に始値、高値、安値、現在値、比較値を格納するようになっている。
【００１４】
次に、従来の株価通報表示装置の動作について、図８を使って説明する。
従来の株価通報表示装置３′では、予め入力部２０から表示する銘柄の銘柄コードと銘柄名とが銘柄コード順に銘柄名テーブル１８に設定されているものとする。
【００１５】
そして、中央装置１から株価等の情報が送信され、通信回線２を介して株価通報表示装置３′が受信すると、制御部１０′によって銘柄名テーブル１８を参照して表示すべき銘柄コードの情報のみが抽出され、表示部２１′における表示方法に従って編集されて、表示メモリ１９の銘柄番号に対応する位置に格納され、銘柄番号の順に表示メモリ１９から表示データが表示部２１′-1〜２１′-nに出力され、表示されるようになっていた。
【００１６】
【発明が解決しようとする課題】
しかしながら、上記従来の株価通報表示装置では、第１の表示方法で株価等の情報の一覧を表示すると、１台の表示部２１′に表示できる銘柄数が少ないため、複数台で銘柄の一覧を表示することになり、一覧表示が複数台にまたがり、見易くないという問題点があった。
【００１７】
また、第１の表示方法では銘柄の一覧表示のために店頭内に設置する表示部２１′の台数が増大し、設置面積が広くなってしまうという問題点があった。
【００１８】
そして、上記問題点の解決策の一つである第２の表示方法で株価等の情報の一覧を表示すると、１台の表示部２１′に表示できる銘柄数は多くなるが、表示する銘柄を変更する場合に、銘柄札を入れ替えなければならず、メンテナンスの面からいって不便であるという問題点があった。
【００１９】
本発明は上記実情に鑑みて為されたもので、ユーザーにとって見易い一覧表示を提供し、且つメンテナンスが容易な株価通報表示装置を提供することを目的とする。
【００２７】
【課題を解決するための手段】
上記従来例の問題点を解決するための本発明は、複数の表示部と、前記表示部への表示制御を行う制御部とを有する株価通報表示装置において、前記表示部が、複数種類の表示部から構成されており、前記制御部が、表示用の銘柄名を登録する銘柄名テーブルと、前記銘柄名テーブルに登録された銘柄の株価情報を蓄積する受信データ蓄積部と、前記表示部に表示される表示データを銘柄毎に設定された表示部、表示位置及び表示タイプに対応付けて蓄積する表示データ蓄積部とを備え、中央装置から通信回線を介して株価情報を受信し、前記銘柄名テーブルに登録された銘柄名の株価情報を選択して受信データ蓄積部に蓄積する受信手段と、前記受信データ蓄積部に蓄積された株価情報を表示用データに編集し、銘柄毎に設定された表示部、表示位置及び表示タイプに対応付けて表示データ蓄積部に蓄積する表示データ編集手段と、前記表示データ蓄積部に蓄積された株価情報を銘柄毎に設定された表示部、表示位置及び表示タイプに従って前記表示部に表示する表示処理手段とを有することを特徴としており、株価情報の表示に多様性を持たせることができ、更に表示変更のメンテナンスを容易にできる。
【００２８】
【発明の実施の形態】
請求項に係る発明について、その実施の形態を図面を参照しながら説明する。本発明に係る第１の株価通報表示装置は、銘柄別の表示データと共に表示する表示部の番号と表示する位置を示すエリア番号を記憶し、記憶された表示部の番号と表示するエリア番号に従って表示データを表示し、またワイドタイプの表示部を設け、銘柄名と株価データを２列表示するので、ユーザーにとって見易い表示を提供し、且つメンテナンスも容易にできるものである。
【００２９】
まず、本発明に係る第１の株価通報表示装置の構成について図１を使って説明する。図１は、本発明に係る第１の株価通報表示装置の構成ブロック図である。尚、図８と同様の構成をとる部分については同一の符号を付して説明する。
【００３０】
本発明の第１の株価通報表示装置（第１の装置）は、従来の株価通報表示装置と同様の入力部２０と、更に本発明の特徴部分として、制御部１０と、表示部２１と、外部記憶部２２とが設けられている。
【００３１】
そして、第１の装置の制御部１０の内部は、受信手段１１と、表示データ編集手段１２と、表示処理手段１３と、設定変更手段１４と、受信データ蓄積部１５と、表示データ蓄積部１６と、銘柄名テーブル１８と、プログラムメモリ２３とから構成されている。
【００３２】
次に、第１の装置の各部について具体的に説明する。
表示部２１は、銘柄の一覧表示を行うもので、従来に比べて縦と横の比が縦より横が長い（例えば、縦と横の比が９：１６）、ワイドタイプの表示部を用いる。
【００３３】
ここで、第１の装置の表示部２１における表示方法について図２を使って具体的に説明する。図２は、本発明の第１の装置における表示部の表示方法の一例を示す説明図である。
第１の装置における表示方法の一例は、図２に示すように、表示画面を２分割し、最上段には銘柄名及び始値、高値、安値、現在値、比較値等の見出しを表示し、以降の画面を複数の表示エリアに分割し（図２の例では２２エリア）、各表示エリアに銘柄名及び始値〜比較値の株価データを表示する。
【００３４】
尚、表示部２１としてはＣＲＴ，液晶板等を用い、例えば縦横比９：１６のワイドタイプのＣＲＴを使用する。そして、ＣＲＴのドット構成を縦４８０ドット、横６４０ドットとし、キャラクタボックスを４０ドット×１０ドットとすると、１画面上に１２行、６４列の表示が可能になる。但し、銘柄名の表示部分に関しては、漢字表示が多いためキャラクタボックスを４０ドット×２０ドットとすると、図２のような表示が可能になる。
【００３５】
尚、図２では画面を２分割した例を示したが、更にワイドな画面を用いることにより、画面を複数分割して銘柄名と株価データを表示できる。
【００３６】
入力部２０は、従来と同様のキーボード等の入力装置であり、本発明では、表示する銘柄の設定や、銘柄毎に表示する表示部２１の番号及び表示エリアの設定を入力するものである。
【００３７】
外部記憶部２２は、ＦＤ，ＨＤ、ＩＣカード，ＣＤ−ＲＯＭ等の外部記憶装置であって、受信した情報や、表示データ編集手段１２において編集した情報等を記憶するものである。
【００３８】
次に、第１の装置の制御部１０内部の各構成要素について具体的に説明する。
プログラムメモリ２３は、受信手段１１、表示データ編集手段１２、表示処理手段１３、設定変更手段１４の各手段を実現するプログラムを予め記憶しているメモリである。
【００３９】
銘柄名テーブル１８は、図１２に示した従来の銘柄名テーブル１８と同様に、予め表示部２１に表示する銘柄の銘柄コードとその銘柄名とを銘柄番号（順次番号）に対応付けて、銘柄コード順に記憶しておくテーブルである。尚、銘柄名テーブル１８に記憶する銘柄の設定は、入力部２０からの入力で設定変更手段１４によって変更できるようになっている。
【００４０】
受信データ蓄積部１５は、受信した株価等の情報を、銘柄コードとその株価等の最新情報という形の受信データテーブルで記憶する記憶部である。
ここで、受信データ蓄積部１５における受信データテーブルのフォーマットについて、図３を使って具体例で説明する。図３は、本発明の受信データテーブルのフォーマットの具体例を示す説明図である。
【００４１】
受信データテーブルは、図３に示すように、銘柄コードと、その始値、高値、安値、現在値、比較値、売気配等の受信株価データとで構成され、本装置で表示する銘柄に関して銘柄コード順に最新の受信情報を記憶するようになっている。尚、テーブルにおける銘柄コードの順番を示す番号は銘柄テーブル１８の銘柄番号に対応している。
【００４２】
表示データ蓄積部１６は、表示データ編集手段１２で編集した表示用のデータ（表示データ）を、銘柄名とその株価等の最新情報という形の表示データテーブルで記憶する記憶部である。
ここで、表示データ蓄積部１６における表示データテーブルのフォーマットについて、図４を使って具体例で説明する。図４は、本発明の表示データテーブルのフォーマットの具体例を示す説明図である。
【００４３】
表示データテーブルは、図４に示すように、銘柄名と、その始値、高値、安値、現在値、比較値等の表示株価データと、各銘柄を表示するＣＲＴＮｏ．と、エリアＮｏ．とから構成されている。尚、テーブルにおける銘柄名の順番を示す番号は銘柄テーブル１８の銘柄番号に対応している。
【００４４】
そして、銘柄名は、予め本装置で表示する銘柄に関して銘柄コード順に対応する銘柄名が記憶され、ＣＲＴＮｏ．と、エリアＮｏ．は、入力部２０からの入力により、設定変更手段１４によって設定されたり変更されたりする。また、表示株価データは、表示データ編集手段１２によって編集された最新の表示情報を記憶するようになっている。
【００４５】
受信手段１１は、中央装置１から送信された株価等の情報を受信し、表示すべき銘柄の情報を抽出して受信データ蓄積部１５に格納し、表示データ編集手段１２に対して編集の指示を出力するものである。
【００４６】
具体的に受信手段１１は、通信回線２から図９に示した株価等の情報を受信すると、受信データの銘柄コードを銘柄名テーブル１８内で検索し、受信データの銘柄コードがなければ受信情報を破棄し、受信データの銘柄コードが銘柄名テーブル１８にあればその銘柄番号を検知し、受信データ蓄積部１５で銘柄番号に対応する銘柄コードの位置に受信株価データを格納し、表示データ編集手段１２に銘柄番号を出力して編集指示を行う。
【００４７】
表示データ編集手段１２は、受信手段１１からの編集指示を受けて、受信データを表示用に編集し、表示データ蓄積部１６に格納し、表示処理手段１３に対して表示の指示を出力するものである。
【００４８】
具体的に表示データ編集手段１２は、受信手段１１から銘柄番号による編集指示を受けると、銘柄名テーブル１８を参照して銘柄名を読み込み、更に受信データ蓄積部１５から指定された銘柄番号に対応する受信株価データを読み込み、受信株価データから表示項目のみを抽出し、表示データ蓄積部１６で銘柄番号に対応する位置に銘柄名と表示株価データを格納し、表示処理手段１３に銘柄番号を出力して表示指示を行う。
【００４９】
表示処理手段１３は、表示データ編集手段１２からの表示指示を受けて、表示データを表示部２１に出力して表示させるものである。
具体的には、表示データ編集手段１２から銘柄番号による表示指示を受けると、表示データ蓄積部１６から指示された銘柄番号に対応する銘柄名と表示株価データとＣＲＴＮｏ．とエリアＮｏ．を読み込み、ＣＲＴＮｏ．で指定された表示部２１のエリアＮｏ．で指定された場所に銘柄名と株価データを出力して表示させるようになっている。
【００５０】
設定変更手段１４は、入力部２０からの入力に従って、表示する銘柄の設定、及び各銘柄を表示するＣＲＴＮｏ．及びエリアＮｏ．を設定するものである。
具体的には、入力部２０から表示する銘柄の設定（変更）があると、銘柄名テーブル１８内を更新し、入力部２０から各銘柄を表示するＣＲＴＮｏ．及びエリアＮｏ．の設定（変更）があると、表示データ蓄積部１６内の表示データテーブルの対応する銘柄のＣＲＴＮｏ．及びエリアＮｏ．を更新するようになっている。
尚、設定変更手段１４における設定変更は、予め株価通報表示装置のサービス開始前に完了しておくことを前提としている。
【００５１】
次に、第１の装置の動作について、図１、図５を使って説明する。図５は、本発明の第１の株価通報表示装置の動作の流れを示すフローチャート図である。尚、図５では、１件の受信データに関する動作を示している。
本発明の第１の株価通報表示装置の動作は、まず受信手段１１の動作としてデータを受信し（１００）、受信データの銘柄コードで銘柄名テーブル１８を検索し、表示すべき銘柄のデータであれば受信データ蓄積部１５に銘柄コードと株価データを格納する（１０２）。
【００５２】
次に、表示データ編集手段１２の動作として、受信手段１１から銘柄番号による編集指示を受けると、銘柄名テーブル１８から銘柄番号に対応する銘柄名を読み込み、更に受信データ蓄積部１５から受信株価データを読み込んで編集して編集データを作成し（２００）、表示データ蓄積部１６に既に記憶されている表示株価データと処理２００で編集された編集データとが同一であるか判断し（２０２）、同一でなければ（Ｎｏの場合）、表示データ蓄積部１６の表示株価データを編集データで更新する（２０４）。
【００５３】
そして、表示処理手段１３の動作として、表示データ編集手段１２から銘柄番号の表示指示を受けると、表示データ蓄積部１６から銘柄番号に対応する銘柄名と表示株価データとＣＲＴＮｏ．及びエリアＮｏ．を読み込んで、ＣＲＴＮｏ．で指定された表示部２１のエリアＮｏ．で指定されたエリアに銘柄名と表示株価データを出力して画面表示させて（３００）、１件の受信データに関する処理を終了する。
【００５４】
本発明の第１の株価通報表示装置によれば、ワイドタイプの表示部を用いて１画面に銘柄名とその株価情報を２列又は複数列表示するので、銘柄情報の一覧を見易く表示できる効果がある。
【００５５】
また、表示データ蓄積部１６に、銘柄毎に銘柄名と株価データと表示するＣＲＴＮｏ．とエリアＮｏ．とを記憶し、表示処理手段１３は、表示データ蓄積部１６に記憶されているＣＲＴＮｏ．とエリアＮｏ．に従って表示制御を行うので、表示するＣＲＴやエリアの変更を容易に行うことができる効果がある。
【００５６】
次に、本発明に係る第２の株価通報表示装置について説明する。
本発明に係る第２の株価通報表示装置は、表示部として、第１の実施の形態で説明したワイドタイプの表示部と、従来からある表示部とを設け、それに伴い表示部への表示方法も複数設け、銘柄別の表示データと共に表示する表示部の番号と表示するエリア番号と表示方法とを記憶し、表示制御手段が記憶された表示部の番号と表示するエリア番号と表示方法とに従って表示データを表示するので、表示方法を多様化し、ユーザーにとって見易い表示画面を提供し、且つメンテナンスも容易にできるものである。
【００５７】
本発明に係る第２の株価通報表示装置（第２の装置）の構成は、図１に示した第１の株価通報表示装置とほぼ同様であるが、表示部２１と、表示データ蓄積部１６と、表示処理手段１３の内容が異なっている。
【００５８】
第２の装置の各部については、第１の装置と異なる部分のみを説明する。
表示部２１は、銘柄情報の一覧を表示するものであるが、第１の装置で説明したワイドタイプの表示部と、従来のタイプの表示部とが混在するものである。
そして、各タイプにおける画面の表示方法も、図１０に示した従来の第１の表示方法（表示タイプＡとする）で銘柄名と株価データとを１列表示するか、又は図１１に示した従来の第２の表示方法（表示タイプＢとする）で株価データのみを２列表示するか、図２に示した第１の装置における表示方法（表示タイプＣとする）で銘柄名と株価データを２列表示する方法とがある。
【００５９】
表示データ蓄積部１６は、第１の装置と同様に表示データ編集手段１２で編集した表示用のデータ（表示データ）を、銘柄名とその株価等の最新情報という形の表示データテーブルで記憶する記憶部である。
そして、そのフォーマットは、図６に示すように、銘柄名と、その始値、高値、安値、現在値、比較値等の表示株価データと、各銘柄を表示するＣＲＴＮｏ．と、エリアＮｏ．と、第２の実施の形態の特徴部分である表示タイプとから構成されている。図６は、本発明の第２の装置の表示データテーブルのフォーマットの具体例を示す説明図である。
尚、表示データテーブルにおける銘柄名の順番を示す番号は銘柄テーブル１８の銘柄番号に対応している。
【００６０】
表示データテーブルの表示タイプは、ＣＲＴＮｏ．、エリアＮｏ．と同様に、入力部２０からの入力により、設定変更手段１４によって設定されたり変更されたりするようになっている。
尚、ＣＲＴＮｏ．と表示タイプとは互いに整合性がとれて設定されることを前提にしている。つまり、例えば表示タイプＣが設定されるＣＲＴＮｏ．は、第１の装置で説明したワイドタイプの表示部２１でなければならない。
【００６１】
表示処理手段１３は、第１の装置と同様に、表示データ編集手段１２からの表示指示を受けて、表示データを表示部２１に出力して表示させるものである。但し、第２の装置の特徴部分として、表示する銘柄の表示タイプによって、表示する内容が異なる。つまり、表示タイプがＡとＣの場合は、銘柄名と株価情報を表示し、表示タイプがＢの場合は、株価情報のみを表示するようになっている。
【００６２】
次に、第２の装置動作について、図１、図７を使って説明する。図７は、本発明の第２の株価通報表示装置の動作の流れを示すフローチャート図である。尚、図７では、１件の受信データに関する動作を示している。
【００６３】
本発明の第２の株価通報表示装置の動作は、ます受信手段１１及び表示データ編集手段１２における動作である処理４００から処理５０４に関しては、図５に示した第１の装置の処理１００から処理２０４に該当する。
【００６４】
そして、表示処理手段１３の動作として、表示データ蓄積部１６から銘柄名と表示株価データとＣＲＴＮｏ．及びエリアＮｏ．と表示タイプを読み込み（６００）、表示タイプがＡ又はＣであるかを判断し（６０２）、Ａ又はＣであったなら（Ｙｅｓの場合）、銘柄名及び表示株価データをＣＲＴＮｏ．で指定された表示部２１のエリアＮｏ．で指定されたエリアに出力して画面表示させ（６０４）、表示タイプがＡでもＣでもない（Ｎｏの場合）、つまりＢである場合は、表示株価データのみをＣＲＴＮｏ．で指定された表示部２１のエリアＮｏ．で指定されたエリアに出力して画面表示させて（６０６）、１件の受信データに関する処理を終了する。
【００６５】
本発明の第２の株価通報表示装置によれば、複数のタイプの表示部２１を設け、それに伴い複数のタイプの表示方法を設け、表示データ蓄積部１６に、銘柄毎に銘柄名と株価データと表示するＣＲＴＮｏ．とエリアＮｏ．と表示タイプとを記憶し、表示処理手段１３は、表示データ蓄積部１６に記憶されている表示タイプとＣＲＴＮｏ．とエリアＮｏ．に従って表示制御を行うので、設置場所やユーザーのニーズに合わせた多様な表示装置と表示方法を提供できる効果がある。
【００６６】
また、予め設定変更手段１４で銘柄毎に表示するＣＲＴＮｏ．とエリアＮｏ．と表示タイプを設定できるので、メンテナンスを容易に行うことができる効果がある。
【００７２】
【発明の効果】
本発明によれば、受信手段が、銘柄名テーブルに登録された銘柄名の株価情報を選択して受信データ蓄積部に蓄積し、表示データ編集手段が、受信データ蓄積部に蓄積された株価情報を表示用データに編集し、銘柄毎に設定された表示部、表示位置及び表示タイプに対応付けて表示データ蓄積部に蓄積し、表示処理手段が、表示データ蓄積部に蓄積された株価情報を銘柄毎に設定された表示部、表示位置及び表示タイプに従って表示部に表示する株価通報表示装置としているので、株価情報の表示に多様性を持たせることができ、更に表示変更のメンテナンスを容易にできる効果がある。
【図面の簡単な説明】
【図１】本発明に係る第１の株価通報表示装置の構成ブロック図である。
【図２】本発明の第１の装置における表示部の表示方法の一例を示す説明図である。
【図３】本発明の受信データテーブルのフォーマットの具体例を示す説明図である。
【図４】本発明の表示データテーブルのフォーマットの具体例を示す説明図である。
【図５】本発明の第１の株価通報表示装置の動作の流れを示すフローチャート図である。
【図６】本発明の第２の装置の表示データテーブルのフォーマットの具体例を示す説明図である。
【図７】本発明の第２の株価通報表示装置の動作の流れを示すフローチャート図である。
【図８】一般的な株価通報表示システムの概略構成及びそれにおける従来の株価通報表示装置の構成ブロック図である。
【図９】一般的に中央装置から株価通報表示装置に送信される電文フォーマット例を示す説明図である。
【図１０】従来の株価通報表示装置の表示部における表示画面例を示す説明図である。
【図１１】従来の株価通報表示装置の表示部における表示画面例を示す説明図である。
【図１２】従来の銘柄名テーブルのフォーマットを示す説明図である。
【符号の説明】
１…中央装置、  ２…通信回線、  ３，３′…株価通報表示装置、  １０，１０′…制御部、  １１…受信手段、  １２…表示データ編集手段、  １３…表示処理手段、  １４…設定変更手段、  １５…受信データ蓄積部、  １６…表示データ蓄積部、  ２０…入力部、  ２１，２１′…表示部、  ２２…外部記憶部、
２３…プログラムメモリ
【図１】
0003816980.tif 000002
【図２】
0003816980.tif 000003
【図３】
0003816980.tif 000004
【図４】
0003816980.tif 000005
【図５】
0003816980.tif 000006
【図６】
0003816980.tif 000007
【図７】
0003816980.tif 000008
【図８】
0003816980.tif 000009
【図９】
0003816980.tif 000010
【図１０】
0003816980.tif 000011
【図１１】
0003816980.tif 000012
【図１２】
0003816980.tif 000013